(57)【要約】【課題】卵パック用運搬展示台車における名棚の前面及び／または背面にパックずれ防止カバーを着脱自在に取り付けることにより、上貼り卵パックを荷くずれしない状態で運送できると共に、店内で販売する時にパックずれ防止カバーを取り外し、通常の販売形態でお客様に取って頂くもので、運送・販売がスムーズに行われるパックずれ防止カバーを提供するものである。【解決手段】卵パックを裁置するためのするための複数段の棚を備えると共に、側面枠及び背面枠を設け、底部にキャスターを設けて移動可能としてなる卵パック用運搬展示台車に取り付けるパックずれ防止カバーであって、横幅を側面枠間の長さとほぼ同一とし、高さを棚間の長さより適宜短くしてなる枠体にて形成してなることを特徴とするパックずれ防止カバー。【選択図】  図１
2006306353.tif 000002
【特許請求の範囲】
【請求項１】
卵パックを裁置するためのするための複数段の棚を備えると共に、側面枠及び背面枠を設け、底部にキャスターを設けて移動可能としてなる卵パック用運搬展示台車に取り付けるパックずれ防止カバーであって、横幅を側面枠間の長さとほぼ同一とし、高さを棚間の長さより適宜短くしてなる枠体にて形成してなることを特徴とするパックずれ防止カバー。
【請求項２】
枠体が、線材で加工され、横枠体と縦枠体により構成されることを特徴とする請求項１記載のパックずれ防止カバー。
【請求項３】
横枠体及びまたは縦枠体が、直接卵に当たらないピッチにて形成されていることを特徴とする請求項１２は２記載のパックずれ防止カバー。
【請求項４】
枠体に、卵パック用運搬展示台車における側面枠あるいは棚に係止して取り付けるべく、取付具を設けてなることを特徴とする請求項１２又は３記載のパックずれ防止カバー。
【請求項５】
取付具がゴムベルトと係止具により構成されてなることを特徴とする請求項４記載のパックずれ防止カバー。
【発明の詳細な説明】
【技術分野】
【０００１】  本発明は、主に卵における上貼り卵パック（上面がフラットで、このフラット面に栄養素や飼料、メーカーのこだわり等を表示したラベルを貼り付けたもの）を多段に積み上げ運ぶ卵パック用運搬展示台車に取り付けてなるパックずれ防止カバーに関するものである。
【背景技術】
【０００２】  従来の技術としては、消費者の多様化していくニーズに応じて、安全・新鮮な鶏卵生産・流通対策はもちろんのこと、飼料の原料にこだわったり、特定の栄養成分を多く含む特殊卵と呼ばれる高付加価値卵が近年、益々増加していく傾向にある。
当然、その特定の栄養成分の多さや飼料へのこだわりなどの優位性を鶏卵パックの内部又は外部のポップ（広告）にて表示するが、近年その広告面積をより広く取る必要性からパックの上面がフラット（平面）の上貼りパックとよばれる鶏卵パックが急増して来た。
しかし、従来の鶏卵パックと違い上部がフラットな為、鶏卵パックの積み重ねを行った場合２段目から滑り落ち、現在国内で最も幅広く利用されている鶏卵パックの卵パック用運搬展示台車では、物流において大きな問題点を抱えている。
その為、鶏卵業者は卵パック用運搬展示台車に積み上げた上貼りパックの落下防止策として、ダンボール紙を物流中は各棚の前後に押さえ用として貼りつけたり、ストレッチフィルムなどの透明包装用フィルムで卵パック用運搬展示台車全面を巻くなどの方法にて対応に苦慮している。
又は、ダンボール箱やプラスチックコンテナにより配送し、卵売場にて箱出し作業、売場陳列などの余分な作業を行い、尚且つダンボール紙やフィルムという限られた地球環境資源が毎回、毎回無駄に使われているのが現状である。【０００３】  また、特許文献による従来技術として、走行輪を有する底体と、この底体の両側に垂直に固定されている支柱と、この支柱の間に多段に水平に配設されて、卵パックを多段に積載する載棚とを備え、載棚は、上面に突出して卵パックの位置決凸部を有すると共に、後端縁と前端縁との間に位置して、後端縁と前端縁と平行な上方折曲部と下方折曲部とを有し、下方折曲部は上方折曲部よりも前縁側に位置すると共に、上方折曲部は載棚の後端よりも前方に、下方折曲部は載棚の前端縁よりも後方に位置しており、上方折曲部を上方に、下方折曲部を下方に折曲して載棚を折り畳んで、下段の載棚に載せた卵パックを取り出しできるように構成されてなる卵パックの運送展示台車がある。（特許文献１参照）【０００４】  さらに、特許文献による従来技術として、卵等の商品を載置するための複数段の棚を備え、底部にキャスターを設けて移動可能とした商品カートであって、該商品カートの棚に卵等の商品を載置してショーケース等の収蔵庫又は販売コーナーに搬入し、そのまま商品を陳列する場合にいおいて、該商品カート前面下部のキャスター部を覆うキャスターカバーと、商品カート前面両側の支柱を覆う支柱カバーとを有し、該商品カートに固定具で着脱自在に取り付けることを特徴とする商品カートの化粧カバー。（特許文献２参照）
【特許文献１】実開平８−５６７９１号公報
【特許文献２】実開２００１−２７５８０５号公報
【発明の開示】
【発明が解決しようとする課題】
【０００５】  上記特許文献１においては、従来の卵パック（上面も卵の形に合わせ凹凸になっている）を運送し、展示して販売するものであり、上面がフラット面の卵パックには対応しておらず、機能・構造・効果が異なるものである。【０００６】  上記特許文献においては、商品カートにおける化粧カバーであり、本発明の  な上面がフラット面の卵パックを運送・展示・販売するような機能を有しているものである。【０００７】  本発明は、上記従来の問題点に鑑みられてもので、その目的は卵パック用運搬展示台車における名棚の前面及び／または背面にパックずれ防止カバーを着脱自在に取り付けることにより、上貼り卵パックを荷くずれしない状態で運送できると共に、店内で販売する時にパックずれ防止カバーを取り外し、通常の販売形態でお客様に取って頂くもので、運送・販売がスムーズに行われるパックずれ防止カバーを提供するものである。
【課題を解決するための手段】
【０００８】  本発明は、上記目的を達成するために卵パックを裁置するためのするための複数段の棚を備えると共に、側面枠及び背面枠を設け、底部にキャスターを設けて移動可能としてなる卵パック用運搬展示台車に取り付けるパックずれ防止カバーであって、横幅を側面枠間の長さとほぼ同一とし、高さを棚間の長さより適宜短くしてなる枠体にて形成してなる。
また枠体が、線材で加工され、横枠体と縦枠体により構成される。
さらに、横枠体及びまたは縦枠体が、直接卵に当たらないピッチにて形成されている。
さらにまた、枠体に、卵パック用運搬展示台車における側面枠あるいは棚に係止して取り付けるべく、取付具を設けてなる。
取付具がゴムベルトと係止具により構成されてなることを特徴とする請求項４記載のパックずれ防止カバー。
【発明の効果】
【０００９】１）パックずれ防止カバーを卵パック用運搬展示台車の前面及び／または背面に着脱自在に取り付けることにより、上面パックを必要個数各棚に積み上げ、安全に運送することができる効果がある。
２）店内で販売する時、簡単に取り外せ、再度運送時に使用できる効果がある。
３）パックずれ防止カバーが枠体で、横枠体と縦枠体により構成することにより軽くて、強靭である。
４）横枠体及び／または縦枠体が直接卵に当たらないピッチに形成することにより、運送中等に卵が割れることがない。
５）枠体に取付具を設けることにより、卵パック用運搬展示台車に対して簡単に取付け、取外しができる。
６）取付具をゴムベルトと係止具の組み合わせにより、卵パック用運搬展示台車の各部所に簡単・容易に取り付けられる効果がある。
【発明を実施するための最良の形態】
【００１０】  パックずれ防止カバー１は、線材を曲折してスポット溶接にて加工してなる横枠体２と横枠体３より構成される。
横枠体２は、横長方形枠体２ａに補強バー２ａ１を設けると共に、両側に後述する取付具を取り付ける略コの字形の取付部２ｂを設けてなる。【００１１】  縦枠体３は、上記横枠体２に対して縦方向に固着してなるもので、縦長方形枠体３ａ（この実施例の場合、３箇所）を設けると共に、上部に各縦長方形枠体３ａを連結する連結枠３ｂを固着してなる。【００１２】  なお、横枠体２及び／または縦枠体３における各ピッチＰ−−−は上面貼り卵パック内の卵に当たらない寸法とすることが望ましい。【００１３】  上記パックずれ防止カバーの使用例について述べる。
今回使用する上面貼り卵パックＰＫの一例を説明すると、下半部ＰＫ１は従来一般に使用されていた卵パックと同様に凹凸に形成すると共に、上面をフラットに形成し、ラベルＲを貼り付けているものである。【００１４】  上記上面貼り卵パックＰＫを卵パック用運搬展示台車ＴＤの各棚Ｔに必要個数載置した後、卵パック用運搬展示台車ＴＤの前面及び背面にパックずれ防止カバー１を取付部２ｂに紐Ｈを側面枠ＴＤＳに結び固定する。
この状態で、車に載せ、店へと配送し、店内の所要位置に置く。【００１５】  つづいて、紐Ｈを取り外し、前面のパックずれ防止カバー１を取り除く。（背面のパックずれ防止カバー１は必要に応じて取り除く。）
その後、前面より上面貼り卵パックＰＫをお客様に取って頂くものである。【００１６】  つぎに、他の実施例を説明する。
パックずれ防止カバー２１は、取付部２２ｂにゴムベルト４ａとフック金具による係止具４ｂからなる取付具４を設けてなる。【００１７】  このパックずれ防止カバー２１は、卵パック用運搬展示台車ＴＤの側面枠ＴＤＳにゴムベルト４ａを巻き付け、停止具４ｂにてゴムベルト４ａに係止して固定するものである。【００１８】  なお、上記各実施例においてＡパックずれ防止カバーの線材の径や材質等、特に限定するものではない。
また、枠体の構成も、同様な機能を有するものであれば他の構成も一考である。
さらに、取付具も同様な機能を有するものであれば他の形態も一考である。
【図面の簡単な説明】
【００１９】
【図１】  本発明の第一実施形態を示すパックずれ防止カバーの正面図。
【図２】  本発明の第一実施形態を示すパックずれ防止カバーの左側図。
【図３】  本発明のパックずれ防止カバーに対応する上貼り卵パックの正面図。
【図４】  本発明の第一実施形態を示すパックずれ防止カバーの使用状態の正面図。
【図５】  本発明の第一実施形態を示すパックずれ防止カバーの使用状態の側面図。
【図６】  本発明の第二実施形態を示すパックずれ防止カバーの使用状態の正面図。
【符号の説明】
【００２０】  １−−−パックずれ防止カバー
２−−−横枠体
３−−−縦枠体
４−−−取付具
ＰＫ−−卵パック
ＴＤ−−卵パック用運搬展示台車
【図１】
2006306353.tif 000003
【図２】
2006306353.tif 000004
【図３】
2006306353.tif 000005
【図４】
2006306353.tif 000006
【図５】
2006306353.tif 000007
【図６】
2006306353.tif 000008